(57)【特許請求の範囲】
【請求項１】
複数本の木材を接着剤で接合してなる構造用集成材の接着強度を比較体感する装置であって、
上記構造用集成材を支持する支持部材と、該支持部材に支持された構造用集成材を駆動手段の駆動により上方から押圧する押圧部材と、押圧部材により構造用集成材に与えられる負荷を検出する負荷検出手段と、負荷検出手段により検出されたピークを示す負荷値を表示する少なくとも２つの表示部を有する表示手段と、少なくとも２つの構造用集成材を載置する棚とを備え、棚に載置されたそれぞれの構造用集成材が破壊される時のピークを示す負荷値を順番に測定して表示部にそれぞれ表示するとともに、その際の各構造用集成材の破壊部位を目で見ることができるようになされたことを特徴とする構造用集成材における接着強度比較体感装置。
【発明の詳細な説明】
【０００１】
【発明の属する技術分野】
本発明は、複数の木材を接着剤で接合してなる構造用集成材の接着強度を見学者が容易に体感することのできる構造用集成材における接着強度比較体感装置に関するものである。
【０００２】
【従来の技術】
昨今、いわゆる無垢材に代わって複数本の木材を接着剤で結合して所定の大きさの角材を作製し、この角材を使用して住宅等の建築物を構築する手法が注目されており、上記角材は一般に構造用集成材と称されている。
【０００３】
【発明が解決しようとする課題】
しかしながら、上記構造用集成材が接着剤で接合されているため、住宅を購入しようとする購入者に、無垢材と比べて強度的な面で不安な感じを与え、誤解を生じさせる要因になっていた。
【０００４】
そこで、構造用集成材の接着強度がいかに優れているかを上記購入者などの一般の見学者に体感してもらい、この構造用集成材を使用した住宅等の高い安全性を理解してもらう必要があった。
【０００５】
【課題を解決するための手段】
請求項１に係る発明の構造用集成材における接着強度比較体感装置は、複数本の木材を接着剤で接合してなる構造用集成材の接着強度を比較体感する装置であって、上記構造用集成材を支持する支持部材と、該支持部材に支持された構造用集成材を駆動手段の駆動により上方から押圧する押圧部材と、押圧部材により構造用集成材に与えられる負荷を検出する負荷検出手段と、負荷検出手段により検出されたピークを示す負荷値を表示する少なくとも２つの表示部を有する表示手段と、少なくとも２つの構造用集成材を載置する棚とを備え、棚に載置されたそれぞれの構造用集成材が破壊される時のピークを示す負荷値を順番に測定して表示部にそれぞれ表示するとともに、その際の各構造用集成材の破壊部位を目で見ることができるようになされたものである。
【０００６】
【発明の実施の形態】
以下、本発明の実施の形態を図面を参照して説明する。
【０００７】
図１は、請求項１に係る発明の構造用集成材における接着強度比較体感装置の構成を示している。
【０００８】
接着強度比較体感装置１は、構造用集成材Ａを支持する支持部材２と、該支持部材２に支持された構造用集成材Ａを駆動手段の駆動により上方から押圧する押圧部材３と、押圧部材３により構造用集成材Ａに与えられる負荷を検出する負荷検出手段５と、負荷検出手段５により検出された負荷値を表示する表示手段としての表示装置６とを備えてなるものである。
【０００９】
前記支持部材２は、基台１１上に設けられており、構造用集成材Ａの下端を支持する左右一対の支持ローラ２１、２１と、構造用集成材Ａの下端部左右両側を支持する左右一対のアングル２２、２２と、構造用集成材Ａの下端背面を支持する背面支持ローラ２３（図２参照）とで構成されている。
【００１０】
前記押圧部材３は、図２に示すように前記基台１１の上方においてガイド手段３１により上下方向に移動自在に設けられている。
【００１１】
ガイド手段３１は、基台１１上に立設された垂直取付部材１２に上下方向に敷設されたガイドレール３１ａと、押圧部材３の背部に固設され、ガイドレール３１ａにそって上下に移動自在な移動体３１ｂとから構成されており、後述する駆動手段の駆動によって押圧部材３が上記ガイド手段３１で案内されながら上下に移動する。
【００１２】
上記駆動手段は、前記垂直取付部材１２の上端に連設された水平取付部材１３にその伸縮部７１を下方にして上下方向に配置されたジャッキ装置７と、このジャッキ装置７の伸縮部７１を伸縮作動させる駆動モータ８とから構成されている。
【００１３】
ジャッキ装置７は、その伸縮部７１の下端が負荷検出手段５としてのロードセルを介して前記押圧部材３に連設されている。
【００１４】
従って、駆動モータ８を駆動させてジャッキ装置７の伸縮部７１を下方に伸長させることで、押圧部材３がガイド手段３１で案内されながら下方に移動し、支持部材２に支持された構造用集成材Ａの上端に当接して当該構造用集成材Ａを押圧する。
【００１５】
この際、構造用集成材Ａにかかる負荷は負荷検出手段５で検出され、図示しない制御装置に入力される。
【００１６】
前記表示装置６は、前記基台１の側部（図１では右側部）に併設されており、上下に４つの表示部６１、６２、６３、６４が配設されている。
【００１７】
４つの表示部６１、６２、６３、６４は、後述する４種類の構造用集成材の強度を確認するためのもので、前述した押圧部材３の押圧により４体の構造用集成材Ａが破壊された際の負荷値を制御装置からの出力により順次表示するようになされている。
【００１８】
また、各表示部６１〜６４の側方には負荷値がピーク値を指したときに、点灯するピーク表示ランプ６１ａ〜６４ａが設けられ、表示部６４の下方に開始スイッチ６５及び停止スイッチ６６が設けられている。
【００１９】
ここで、構造用集成材Ａとしては、本実施の形態では、３０mm角で長さ１２０mmの角材ａを左右に９個接合した構造であり、使用する接着剤が異なるものが２体と、その異なる接着剤で接合した後に後述する煮沸装置９により煮沸したもの２体の計４体が用いられる。
【００２０】
異なる２種の接着剤としては、レゾルシノールと、いわゆる木工用ボンドである酢ビ系（酢ビエマルジョン）の接着剤とが使用され、酢ビ系の接着剤で接合した構造用集成材Ａ１、レゾルシノールで接合した構造用集成材Ａ２、上記構造用集成材Ａ１を１５分間煮沸した構造用集成材Ａ３、上記構造用集成材Ａ２を１５分間煮沸した構造用集成材Ａ４が予め用意されており、基台１１上に立設された棚１４上にそれぞれ載置されている。
【００２１】
次に、前記構造用集成材Ａ１、Ａ２を煮沸して構造用集成材Ａ３、Ａ４を作製するための煮沸装置の構成について簡単に説明する。
【００２２】
図３及び図４は、煮沸装置の構成を示している。
この煮沸装置９は、前方の水平位置から上方に向かって回動し後方の水平位置まで１８０°回動自在になされた反転体９１と、この反転体９１に設けられ、予め作製された前記構造用集成材Ａ１、Ａ２を保持する保持部材９２と、装置本体９ａ内に設けられた煮沸槽９３（図４参照）と、表示装置９４とを備えてなる。
【００２３】
前記反転体９１は、基端部が装置本体９ａ上に軸受けを介して軸支された水平軸９１ａに一体に設けられており、駆動モータ９５の駆動により伝達手段９６を介して水平軸９１ａを正逆方向に回動させることで当該水平軸９１ａを中心にして前後に回動するように構成されている。
【００２４】
上記伝達手段９６は、水平軸９１ａに設けられたスプロケット９６ａと駆動モータ９５の駆動軸に設けられたスプロケット９６ｂとにチェーン９６ｃを巻回することで構成されている。
【００２５】
前記保持部材９２は、前後に二個の構造用集成材Ａ１、Ａ２を保持可能なように２個の保持部９２ａ、９２ａを備えており、図４に二点鎖線で示すように保持部９２ａ、９２ａが反転した際にもこの保持部９２ａ、９２ａから構造用集成材Ａ１、Ａ２が抜け落ちないように図示しない適宜な抜け落ち防止手段によって保持されるようになされている。
【００２６】
また、保持部材９２が反転した場合には、保持部材９２及びこの保持部材９２に保持された構造用集成材Ａ１、Ａ２が煮沸槽９３内に配置され、反転体９１により煮沸槽９３の上部開口が閉塞され、この煮沸槽９３が密閉状態になる。
【００２７】
前記表示装置９４は、装置本体９ａの側部に併設されており、煮沸槽９３内の温度を表示する表示部９４ａと、煮沸時間を表示する表示部９４ｂと、煮沸を開始す開始スイッチ９４ｃなどを備えている。
【００２８】
よって、保持部材９２の各保持部９２ａ、９２ａに構造用集成材Ａ１、Ａ２を装着した後、開始スイッチ９４ｃを押すことによって、反転体９１が前方から後方に反転し、これにより構造用集成材Ａ１、Ａ２を煮沸槽９３内に配置させてこれら構造用集成材Ａ１、Ａ２の煮沸を行う。
【００２９】
この際、煮沸槽９３内の温度が表示部９４ａに表示されるとともに、煮沸開始からの経過時間が表示部９４ｂに表示される。
【００３０】
そして、予め設定した時間が経過すれば、図示ない制御装置により煮沸を停止して反転体９１を前方の位置に回動させ、保持部材９２から構造用集成材を取り外すことで、前述した煮沸処理後の構造用集成材Ａ３、Ａ４が作製される。
【００３１】
次に、このようにして作製された４種類の構造用集成材Ａ１〜Ａ４を用いて前述した接着強度比較体感装置１により各構造用集成材Ａ１〜Ａ４の強度がどの様なものかを一般の見学者に見せる際の手順について説明する。
【００３２】
まず、酢ビ系の接着剤で接合した構造用集成材Ａ１を支持部材２に配置し、開始スイッチ６５を作動させる。これにより駆動モータ８を通じてジャッキ装置７の伸縮部７１を下方に伸長させ、予め上方の原点位置に配置されている押圧部材３をガイド手段３１に案内させながら下方に移動させることで、当該押圧部材３により構造用集成材Ａ１の上端を押圧する。
【００３３】
この際、負荷検出手段５であるロードセルによりその構造用集成材Ａ１にかかる負荷が検出されており、制御装置ではこの負荷値を表示装置６の一番上の表示部６１に表示する。この時、表示部６１の横のピーク表示ランプ６１ａは点滅している。
【００３４】
そして、押圧部材３の押圧により構造用集成材Ａ１に破壊が生じた時に、ピーク表示ランプ６１ａを点灯させてその際のピークを示した負荷値を表示部６１に表示する。
【００３５】
負荷値がピークに達したか否かの決定は、予め設定した制御装置によって行われる。一例としては、押圧部材３による押圧に従って徐々に増加する負荷値が、ある負荷値から減少に転じて所定時間（約５秒程度）経過したときに、破壊が生じたものと判断し、そのピークを示した負荷値を表示する。
【００３６】
このようにして構造用集成材Ａ１が破壊されると、制御装置ではジャッキ装置７の伸縮部７１を縮退させて押圧部材３を元の原点位置に配置させる。
【００３７】
上述した動作をレゾルシノールで接合した構造用集成材Ａ２、上記構造用集成材Ａ１を煮沸した構造用集成材Ａ３、上記構造用集成材Ａ２を煮沸した構造用集成材Ａ４の順番で行い、各構造用集成材Ａ２〜Ａ４が破壊した際の負荷値を表示部６２〜６４に表示する。
【００３８】
よって、一般の見学者は、各構造用集成材Ａ１〜Ａ４の破壊強度がどの様なものかが表示部６１〜６４を見ることで、用意に把握できるとともに、その際の各構造用集成材Ａ１〜Ａ４の破壊部位を目で見ることができる。
【００３９】
なお、この実施の形態では、レゾルシノールで接合した構造用集成材Ａ２が酢ビ系の接着剤で接合した構造用集成材Ａ１よりも破壊時の負荷値が高いのが、また煮沸処理した構造用集成材Ａ３とＡ４についても構造用集成材Ａ４の方が構造用集成材Ａ３よりも破壊時の負荷値が高いのが各表示部６１〜６４を見ることで見学者が容易に体感できる。
【００４０】
また、構造用集成材Ａ２の破壊面も各角材ａ間の接合部でなく角材ａ自体が破壊しており、これを見学者が見ることで構造用集成材についての信頼性を高めることができる。
【００４１】
【発明の効果】
以上述べたように、棚に載置されたそれぞれの構造用集成材が破壊される時のピークを示す負荷値を順番に測定して表示部にそれぞれ表示するとともに、その際の各構造用集成材の破壊部位を一般の見学者にその場において見せることで、特定の種類の接着剤を使用して作製した構造用集成材の接着強度がいかに優れているかを、購入者などの一般の見学者が容易に体感でき、この構造用集成材を使用した住宅等購入する際の不安感を取り払うことができ、購入意欲を促進させることができる。
【図面の簡単な説明】
【図１】構造用集成材における接着強度比較体感装置の構成を示す正面図である。
【図２】同じく接着強度比較体感装置における押圧部材の作動系を主に示す側面図である。
【図３】煮沸装置の構成を示す一部切欠の正面図である。
【図４】煮沸装置の構成を示す側面図である。
【符号の説明】
１  接着強度比較体感装置
２  支持部材
３  押圧部材
５  負荷検出手段
６  表示装置（表示手段）
６１〜６４  表示部
７  ジャッキ装置
８  駆動モータ
Ａ  構造用集成材
【図１】
0003756350.tif 000002
【図２】
0003756350.tif 000003
【図３】
0003756350.tif 000004
【図４】
0003756350.tif 000005